(57)【要約】【課題】収容される電子装置のリードが機械により取付けやすい電子装置の収容ケースの提供。【解決手段】底板と、底板の周縁から突起する一対の側壁３２とを有し、電子装置２を複数収容することができるケース本体３と、一対の側壁３２にそれぞれ取付けられている複数の接続端子４とを具えており、各接続端子４は、それぞれ側壁３２の先端面から突起する第１の接続部４１と、第１の接続部４１と連続すると共に、側壁３２を挿通する挿通部と、第１の接続部４１の反対側において挿通部と連続すると共に、側壁３２外に露出している第２の接続部４３とを有するように側壁３２に取付けられている上、第１の接続部４１は、二股に分かれるように形成されていると共に、該二股の間に、電子装置２が有するコイルユニット２１から延伸するリード２２が押し込まれることができる接続溝４１４が画成されていることを特徴とする電子装置の収容ケース。【選択図】図２
0003198616.tif 000002
【実用新案登録請求の範囲】
【請求項１】
コイルユニットと、前記コイルユニットに巻き付けられていると共に該コイルユニットから延伸するリードとを有する電子装置を複数収容することができる電子装置の収容ケースであって、
底板と、該底板の周縁からそれぞれ突起し、且つ互いに向き合う一対の側壁とを有し、前記電子装置を複数収容することができる収容空間を前記底板及び前記一対の側壁で画成するケース本体と、
前記一対の側壁にそれぞれ取付けられている複数の接続端子と、
を具えており、
各前記接続端子は、それぞれ、
前記底板の周縁から突起するいずれかの前記側壁の先端面から突起する第１の接続部と、
前記第１の接続部と連続すると共に、取付けられている前記側壁を挿通する挿通部と、
前記第１の接続部の反対側において前記挿通部と連続すると共に、取付けられている前記側壁外に露出している第２の接続部と、
を有するように前記側壁に取付けられている上、
前記第１の接続部は、二股に分かれるように形成されていると共に、該二股の間に、前記電子装置が有する前記コイルユニットから延伸するリードが押し込まれることができる接続溝が画成されていることを特徴とする電子装置の収容ケース。
【請求項２】
前記接続溝は、前記第１の接続部の端縁から該端縁を横断するように切り込まれる溝部を有し、該溝部の幅は、前記電子装置が有する前記コイルユニットから延伸するリードの直径より狭くなっていることを特徴とする請求項１に記載の電子装置の収容ケース。
【請求項３】
前記接続溝は、前記第１の接続部の端縁から切り込まれる先にあって前記溝部と連通している収容部を更に有し、該収容部の幅は、前記電子装置が有する前記コイルユニットから延伸するリードの直径とほぼ同じで該リードを収容することができることを特徴とする請求項２に記載の電子装置の収容ケース。
【請求項４】
前記第１の接続部において前記接続溝の前記溝部により切り込まれる端縁に、前記接続溝の前記溝部と連通する案内切欠きが形成されており、該案内切欠きは、前記接続溝の前記溝部と連通する箇所から幅が段々広がっていくように形成されていることを特徴とする請求項２または請求項３に記載の電子装置の収容ケース。
【請求項５】
各前記接続溝は、各前記接続端子がそれぞれ有する前記第１の接続部の、前記底板と直交する方向において対応の前記側壁から離れた先端縁に形成されていると共に、
同一の前記側壁に取付けられている各前記接続端子それぞれの前記第１の接続部に形成されている各前記接続溝が対応の前記第１の接続部の端縁を横断する方向が、該同一の前記側壁の厚さ方向に沿って互いに平行するようになっていることを特徴とする請求項２〜請求項４のいずれか一項に記載の電子装置の収容ケース。
【請求項６】
各前記接続溝がそれぞれ有する前記溝部は、前記底板と直交する方向に沿って延伸していることを特徴とする請求項２〜請求項５のいずれか一項に記載の電子装置の収容ケース。
【請求項７】
各前記接続溝がそれぞれ有する前記溝部は、前記底板と直交する方向と所定の鋭角を成すように延伸していることを特徴とする請求項２〜請求項５のいずれか一項に記載の電子装置の収容ケース。
【請求項８】
各前記接続溝がそれぞれ有する前記溝部は、
前記底板と直交する方向に沿って延伸する第１の縦溝と、
前記第１の縦溝が前記第１の接続部に対して切り込まれた先端から該第１の縦溝と直交するように延伸する横溝と、
前記横溝が延伸した先端から該横溝と直交するように延伸する第２の縦溝と、を有するように形成されていることを特徴とする請求項２〜請求項４のいずれか一項に記載の電子装置の収容ケース。
【請求項９】
各前記接続溝がそれぞれ有する前記溝部は、
前記案内切欠きと連通して前記底板と平行する方向に沿って延伸する横溝と、
前記横溝が延伸した先端から該横溝と直交するように延伸する縦溝と、を有するように形成されていることを特徴とする請求項４に記載の電子装置の収容ケース。
【請求項１０】
各前記接続溝がそれぞれ有する前記溝部は、
二回カーブして略Ｓ字形に延伸するように形成されていることを特徴とする請求項２〜請求項４のいずれか一項に記載の電子装置の収容ケース。
【請求項１１】
各前記接続端子がそれぞれ有する前記第２の接続部は、前記底板をも挿通してから前記底板外に露出し、且つ前記底板と平行するように前記側壁の外側へ横に延伸していることを特徴とする請求項１〜請求項１０のいずれか一項に記載の電子装置の収容ケース。
【考案の詳細な説明】
【技術分野】
【０００１】
本考案は収容ケースに関し、特に、電子装置を収容する電子装置の収容ケースに関する。
【背景技術】
【０００２】
図１に電子装置を収容する従来の電子装置の収容ケースの一例が示されており、図示のように、該収容ケース１１は、電子装置１０を収容するもので、一対の側壁１１１と、該一対の側壁１１１にそれぞれ取付けられている複数の端子１２とを具えている。各端子１２は、それぞれ対応の側壁１１１の先端面１１２から突起する第１の接続部１２１を有しており、そして第１の接続部１２１の両側面にそれぞれ切欠き１２２が形成されている。
【０００３】
収容ケース１１内に収容されている電子装置１０が有するリード１０１は、端子１２が有する第１の接続部１２１の切欠き１２２が形成されている箇所に巻き付けられて端子１２と電気的に接続することができる。
【考案の概要】
【考案が解決しようとする課題】
【０００４】
上記構成を有する従来の電子装置の収容ケースでは、収容ケース１１内に収容されている電子装置１０と電気的に接続するには、電子装置１０が有するリード１０１を対応の端子１２が有する第１の接続部１２１の切欠き１２２が形成されている箇所に巻き付けなければならず、この巻付工程には人力が必須であるため、不便である上コストも高い。
【０００５】
本考案は、上述した従来の電子装置の収容ケースの問題点に鑑みてなされたものであり、収容される電子装置のリードが機械により取付けやすい電子装置の収容ケースの提供を目的とする。
【課題を解決するための手段】
【０００６】
上記目的を達成する手段として、本考案は、コイルユニットと、前記コイルユニットに巻き付けられていると共に該コイルユニットから延伸するリードとを有する電子装置を複数収容することができる電子装置の収容ケースであって、底板と、該底板の周縁からそれぞれ突起し、且つ互いに向き合う一対の側壁とを有し、前記電子装置を複数収容することができる収容空間を前記底板及び前記一対の側壁で画成するケース本体と、前記一対の側壁にそれぞれ取付けられている複数の接続端子とを具えており、各前記接続端子は、それぞれ前記底板の周縁から突起するいずれかの前記側壁の先端面から突起する第１の接続部と、前記第１の接続部と連続すると共に、取付けられている前記側壁を挿通する挿通部と、前記第１の接続部の反対側において前記挿通部と連続すると共に、取付けられている前記側壁外に露出している第２の接続部とを有するように前記側壁に取付けられている上、前記第１の接続部は、二股に分かれるように形成されていると共に、該二股の間に、前記電子装置が有する前記コイルユニットから延伸するリードが押し込まれることができる接続溝が画成されていることを特徴とする電子装置の収容ケースを提供する。
【考案の効果】
【０００７】
上記手段によれば、本考案の電子装置の収容ケースは、各接続端子それぞれの第１の接続部が二股に分かれるように形成されていると共に、該二股の間に、電子装置が有するコイルユニットから延伸するリードが押し込まれることができる接続溝が画成されているので、該収容ケースに収容される電子装置のリードを機械により接続溝内に押し込んで取付け可能な電子装置の収容ケースを提供することができる。
【図面の簡単な説明】
【０００８】
【図１】従来の電子装置の収容ケースの一例が示されている斜視図である。
【図２】本考案の電子装置の収容ケースの第１の実施形態の分解斜視図である。
【図３】本考案の電子装置の収容ケースの第１の実施形態の断面図である。
【図４】本考案の電子装置の収容ケースの第１の実施形態の一部拡大斜視図である。
【図５】本考案の電子装置の収容ケースの第１の実施形態の使用方法が示される説明図である。
【図６】本考案の電子装置の収容ケースの第２の実施形態の構成が示される説明図である。
【図７】本考案の電子装置の収容ケースの第３の実施形態の構成が示される説明図である。
【図８】本考案の電子装置の収容ケースの第４の実施形態の構成が示される説明図である。
【図９】本考案の電子装置の収容ケースの第５の実施形態の構成が示される説明図である。
【図１０】本考案の電子装置の収容ケースの第６の実施形態の構成が示される説明図である。
【図１１】本考案の電子装置の収容ケースの第７の実施形態の構成が示される説明図である。
【考案を実施するための形態】
【０００９】
以下は各図面を用いて本考案の電子装置の収容ケースの各好ましい実施形態について説明する。
【００１０】
図２〜図５に本考案の電子装置の収容ケースの第１の実施形態が示されており、図２は本考案の電子装置の収容ケースの第１の実施形態の分解斜視図であり、図３はその断面図であり、図４はその一部拡大斜視図であり、図５はその使用方法が示される説明図である。
【００１１】
図２及び図３に示されているように、本考案の電子装置の収容ケースは、コイルユニット２１と、コイルユニット２１に巻き付けられていると共に該コイルユニット２１から延伸するリード２２とを有する電子装置２を複数収容することができる電子装置の収容ケースであって、ケース本体３と、該ケース本体３に取付けられている複数の接続端子４と、蓋５とを具えている。
【００１２】
ケース本体３は、底板３１と、該底板３１の周縁からそれぞれ突起し、且つ互いに向き合う一対の側壁３２と、両端が一対の側壁３２にそれぞれ接しながら、同じく該底板３１の周縁からそれぞれ突起し、且つ互いに向き合う一対の補助壁３３とを有し、電子装置２を複数収容することができる収容空間３０を底板３１及び一対の側壁３２、一対の補助壁３３で画成するものである。
【００１３】
複数の接続端子４は、ケース本体３が有する一対の側壁３２にそれぞれ取付けられており、蓋５はケース本体３の底板３１及び一対の側壁３２、一対の補助壁３３により画成される収容空間３０を覆うようにケース本体３に取付けられるものである。
【００１４】
また、図３及び図４に示されているように、各接続端子４は、それぞれ底板３１の周縁から突起するいずれかの側壁３２の先端面３２１から突起する第１の接続部４１と、第１の接続部４１と連続すると共に、取付けられている側壁３２を挿通する挿通部４２と、第１の接続部４１の反対側において挿通部４２と連続すると共に、取付けられている側壁３２外に露出している第２の接続部４３とを有するように側壁３２に取付けられている。
【００１５】
この実施形態において、第２の接続部４３は、ケース本体３の底板３１をも挿通してから底板３１外に露出し、且つ底板３１と平行するように側壁３２の外側へ横に延伸しているが、本考案の電子装置の収容ケースはこれに制限されず、必要に応じて第２の接続部４３が側壁３２から突出する位置または方向を変更することも可能である。
【００１６】
図４及び図５に示されているように、この第１の実施形態において、各接続端子４がそれぞれ有する第１の接続部４１は、側壁３２の先端面３２１から突起する連続部４１１と、連続部４１１から二股に分かれるように形成される２つの分岐部４１２とを有すると共に、該二股の分岐部４１２の間に、電子装置２が有するコイルユニット２１から延伸するリード２２が押し込まれることができる接続溝４１４が画成されている。
【００１７】
各接続溝４１４は、各接続端子４がそれぞれ有する第１の接続部４１の、底板３１と直交する方向（図中における上下方向）において対応の側壁３２から離れた先端縁に形成されていると共に、同一の側壁３２に取付けられている各接続端子４それぞれの第１の接続部４１に形成されている各接続溝４１４が対応の第１の接続部４１の端縁を横断する方向が、該同一の側壁３２の厚さ方向に沿って互いに平行するようになっている。
【００１８】
また、この第１の実施形態において、接続溝４１４は、第１の接続部４１の端縁（先端縁）から該端縁を横断するように切り込まれる溝部４１５を有し、該溝部４１５は、ケース本体３の底板３１と直交する方向に沿って延伸し、そして該延伸の方向と直交する幅は、電子装置２が有するコイルユニット２１から延伸するリード２２の直径より狭くなっている。
【００１９】
従って、リード２２を接続溝４１４の溝部４１５に取付ける際、リード２２は、溝部４１５を押し広げると共に、溝部４１５によってきつく締め付けられて各接続端子４の第１の接続部４１の接続溝４１４内に挟まれるようになるので、リード２２と対応の接続端子４とが電気的に接続されると共に、リード２２を巻き付けなくとも接続端子４に固定することができる。
【００２０】
従って、本考案の電子装置の収容ケースは、各接続端子４それぞれの第１の接続部４１が二股に分かれるように形成されていると共に、該二股の間に、電子装置２が有するコイルユニット２１から延伸するリード２２が押し込まれることができる接続溝４１４が画成されているので、該ケース本体３に収容される電子装置２のリード２２を機械により接続溝４１４内に押し込んで固定可能な電子装置の収容ケースを提供することができ、従来より便利な上、製造コストの削減を図ることもできる。
【００２１】
なお、本考案の電子装置の収容ケースは、リード２２を接続溝４１４の溝部４１５に取付け、リード２２の余分な部分を切り取ってから錫めっきを行うことができる。また、電子装置２を収容する収容空間３０内に電気的絶縁材料からなる充填剤を注入することにより、収容空間３０内に収容される電子装置２を固定・保護することもできる。更にまた、収容空間３０内に収容される電子装置２を例えば回路基板に電気的に接続させる際、該当の電子装置２を収容した本考案の電子装置のケース本体３を回路基板に設置して各接続端子４がそれぞれ有する第２の接続部４３を回路基板と電気的に接続させてから錫めっきを行うことで、各接続端子４を経由して収容空間３０内に収容された電子装置２を回路基板に電気的に接続させることができる。
【００２２】
次いで、図６〜図１１を用いて本考案の電子装置の収容ケースの第２〜第７の実施形態の構成について説明する。
【００２３】
本考案の電子装置の収容ケースの第２〜第７の実施形態は、いずれも第１の実施形態と類似する構成になっており、各接続端子４がそれぞれ有する第１の接続部４１の構成のみが異なるので、以下は図６〜図１１を用いて、その異なる構成のみを詳しく説明する。
【００２４】
図６は本考案の電子装置の収容ケースの第２の実施形態の構成が示される説明図である。図示のように、この第２の実施形態において、各接続端子４がそれぞれ有する第１の接続部４１は、第１の実施形態と同じく、二股に分かれるように形成される２つの分岐部４１２を有すると共に、該二股の分岐部４１２の間に、電子装置２が有するコイルユニット２１から延伸するリード２２が押し込まれることができる接続溝４１４が画成されているが、この第２の実施形態において、接続溝４１４は、第１の接続部４１の端縁（先端縁）から該端縁を横断するように切り込まれる溝部４１５と、溝部４１５と連通している収容部４１６とを有しており、該溝部４１５の幅は、電子装置２が有するコイルユニット２１から延伸するリード２２の直径より狭くなっているが、収容部４１６の幅は、電子装置２が有するコイルユニット２１から延伸するリード２２の直径とほぼ同じで該リードを収容することができる。
【００２５】
即ち、図６に示されるように、リード２２を接続溝４１４に取付ける際、リード２２は比較的狭い溝部４１５を経由してから収容部４１６に収容されるようになるので、各接続端子４の第１の接続部４１の寸法を維持することができる。
【００２６】
図７は本考案の電子装置の収容ケースの第３の実施形態の構成が示される説明図である。図示のように、この第３の実施形態において、各接続端子４がそれぞれ有する第１の接続部４１は、第２の実施形態と同じく、二股に分かれるように形成される２つの分岐部４１２を有すると共に、該二股の分岐部４１２の間に、電子装置２が有するコイルユニット２１から延伸するリード２２が押し込まれることができる接続溝４１４が画成され、そして接続溝４１４は、電子装置２が有するコイルユニット２１から延伸するリード２２の直径より幅が狭い溝部４１５と、電子装置２が有するコイルユニット２１から延伸するリード２２の直径と幅がほぼ同じである収容部４１６とを有しているが、この第３の実施形態において、各接続溝４１４がそれぞれ有する溝部４１５は、ケース本体３の底板３１と直交する方向（図中における上下方向）と所定の鋭角を成すように延伸するようになっている。
【００２７】
即ち、本考案の電子装置の収容ケースにおいて、各接続端子４がそれぞれ有する第１の接続部４１に画成される接続溝４１４の延伸方向は必ずしもケース本体３の底板３１と直交する方向（図中における上下方向）と一致する必要がなく、斜めに形成することも可能である。
【００２８】
図８は本考案の電子装置の収容ケースの第４の実施形態の構成が示される説明図であり、図示のように、この第４の実施形態において、各接続端子４がそれぞれ有する第１の接続部４１は、第２の実施形態と同じく、二股に分かれるように形成される２つの分岐部４１２を有すると共に、該二股の分岐部４１２の間に、電子装置２が有するコイルユニット２１から延伸するリード２２が押し込まれることができる接続溝４１４が画成され、そして接続溝４１４は、電子装置２が有するコイルユニット２１から延伸するリード２２の直径より幅が狭い溝部４１５と、電子装置２が有するコイルユニット２１から延伸するリード２２の直径と幅がほぼ同じである収容部４１６とを有しているが、この第４の実施形態において、各接続端子４がそれぞれ有する第１の接続部４１における接続溝４１４の溝部４１５により切り込まれる端縁に、接続溝４１４の溝部４１５と連通する案内切欠き４１９が形成されており、該案内切欠き４１９は、接続溝４１４の溝部４１５と連通する箇所から幅が段々広がっていくように形成されている。
【００２９】
この構成により、リード２２を接続溝４１４の溝部４１５に押し込む際、接続溝４１４の溝部４１５の開口を狙ってリード２２を精確に押し込まなくても、接続溝４１４の溝部４１５と連通する箇所から幅が段々広がっていくように形成された案内切欠き４１９による案内でスムーズに取付けることができる。
【００３０】
図９は本考案の電子装置の収容ケースの第５の実施形態の構成が示される説明図である。図示のように、この第５の実施形態において、各接続端子４がそれぞれ有する第１の接続部４１は、第２の実施形態と同じく、二股に分かれるように形成される２つの分岐部４１２を有すると共に、該二股の分岐部４１２の間に、電子装置２が有するコイルユニット２１から延伸するリード２２が押し込まれることができる接続溝４１４が画成され、そして接続溝４１４は、電子装置２が有するコイルユニット２１から延伸するリード２２の直径より幅が狭い溝部４１５と、電子装置２が有するコイルユニット２１から延伸するリード２２の直径と幅がほぼ同じである収容部４１６とを有しているが、この第５の実施形態において、各接続溝４１４がそれぞれ有する溝部４１５は、底板３１と直交する方向に沿って延伸する第１の縦溝４１５１と、第１の縦溝４１５１が第１の接続部４１に対して切り込まれた先端から該第１の縦溝４１５１と直交するように延伸する横溝４１５２と、横溝４１５２が延伸した先端から該横溝４１５２と直交するように延伸する第２の縦溝４１５３と、を有し、第２の縦溝４１５３で収容部４１６と連通するようになっている。
【００３１】
即ち、本考案の電子装置の収容ケースにおいて、各接続端子４がそれぞれ有する第１の接続部４１に画成される接続溝４１４の延伸方向は必ずしも一直線である必要がなく、複数回曲がるように形成されることも可能である。
【００３２】
図１０は本考案の電子装置の収容ケースの第６の実施形態の構成が示される説明図である。図示のように、この第６の実施形態において、各接続端子４がそれぞれ有する第１の接続部４１は、第４の実施形態と同じく、二股に分かれるように形成される２つの分岐部４１２を有すると共に、該二股の分岐部４１２の間に、電子装置２が有するコイルユニット２１から延伸するリード２２が押し込まれることができる接続溝４１４が画成され、そして接続溝４１４は、電子装置２が有するコイルユニット２１から延伸するリード２２の直径より幅が狭い溝部４１５と、電子装置２が有するコイルユニット２１から延伸するリード２２の直径と幅がほぼ同じである収容部４１６と、接続溝４１４の溝部４１５と連通する案内切欠き４１９とを有しているが、この第６の実施形態において、各接続溝４１４がそれぞれ有する溝部４１５は、案内切欠き４１９と連通して底板３１と平行する方向に沿って延伸する横溝４１５４と、横溝４１５４が延伸した先端から該横溝４１５４と直交するように延伸する縦溝４１５５と、を有するように形成されている。
【００３３】
即ち、本考案の電子装置の収容ケースにおいて、各接続端子４がそれぞれ有する第１の接続部４１に画成される接続溝４１４の延伸方向は、必ずしも底板３１と直交する方向から延伸する必要がなく、底板３１と平行する横方向で延伸してから、底板３１と直交する縦方向に曲がるように形成されることも可能である。
【００３４】
この構成により、リード２２を接続溝４１４の溝部４１５に押し込む際、リード２２を底板３１と直交する縦方向で第１の接続部４１に向って押し込まずに、底板３１と平行する横方向寄りの操作でリード２２を取付けることができるようになる。
【００３５】
図１１は本考案の電子装置の収容ケースの第７の実施形態の構成が示される説明図である。図示のように、この第７の実施形態において、各接続端子４がそれぞれ有する第１の接続部４１は、第４の実施形態と同じく、二股に分かれるように形成される２つの分岐部４１２を有すると共に、該二股の分岐部４１２の間に、電子装置２が有するコイルユニット２１から延伸するリード２２が押し込まれることができる接続溝４１４が画成され、そして接続溝４１４は、電子装置２が有するコイルユニット２１から延伸するリード２２の直径より幅が狭い溝部４１５と、電子装置２が有するコイルユニット２１から延伸するリード２２の直径と幅がほぼ同じである収容部４１６と、接続溝４１４の溝部４１５と連通する案内切欠き４１９とを有しているが、この第７の実施形態において、各接続溝４１４がそれぞれ有する溝部４１５は、二回カーブして略Ｓ字形に延伸してから収容部４１６と連通するようになっている。
【００３６】
即ち、本考案の電子装置の収容ケースにおいて、各接続端子４がそれぞれ有する第１の接続部４１に画成される接続溝４１４の延伸方向は、必ずしも直線にそって延伸したり、あるいは直角でまがったりする必要がなく、カーブ状で滑らかに湾曲するように形成されることも可能である。
【産業上の利用可能性】
【００３７】
上記のように、本考案の電子装置の収容ケースは、各接続端子それぞれの第１の接続部が二股に分かれるように形成されていると共に、該二股の間に、前記電子装置が有する前記コイルユニットから延伸するリードが押し込まれることができる接続溝が画成されているので、該収容ケースに収容される電子装置のリードを機械により接続溝内に押し込んで取付け可能な電子装置の収容ケースを提供することができる。
【符号の説明】
【００３８】
２  電子装置
２１  コイルユニット
２２  リード
３  ケース本体
３０  収容空間
３１  底板
３２  側壁
３２１  先端面
３３  補助壁
４  接続端子
４１  第１の接続部
４１１  連続部
４１２  分岐部
４１４  接続溝
４１５  溝部
４１５１  第１の縦溝
４１５２  横溝
４１５３  第２の縦溝
４１５４  横溝
４１５５  縦溝
４１６  収容部
４１９  案内切欠き
４２  挿通部
４３  第２の接続部
５  蓋
【図１】
0003198616.tif 000003
【図２】
0003198616.tif 000004
【図３】
0003198616.tif 000005
【図４】
0003198616.tif 000006
【図５】
0003198616.tif 000007
【図６】
0003198616.tif 000008
【図７】
0003198616.tif 000009
【図８】
0003198616.tif 000010
【図９】
0003198616.tif 000011
【図１０】
0003198616.tif 000012
【図１１】
0003198616.tif 000013